(57)【要約】      （修正有）【課題】手の小さな子供等が簡単に手に保持出来、又、視覚障害者が簡単に手で触って表裏等認識しやすい光ディスクを提供する。【解決手段】ＣＤ，ＤＶＤ，ＢＤ等のデーター書き込み部分に支障をきたさない中心個所の範囲（直径１５ｍｍからｌｅａｄ  ｉｎ範囲４６ｍｍ）迄中心個所の範囲の部分を廻りの盤面より一段と高くしてあり、この高くしてある事で視覚障害者が表裏の認識が判別でき、又、データー書き込み部分の裏側（記憶領域片面１、２層の時）においては、全面あるいは部分的に、この個所に手で触って認識できる点字文字等を取り入れ、内容・詳細を明示する。又、手の小さな人等例えば、子供等が円盤形の品物を特にデスクパソコンにセットする場合、上手くセットする為の方策として、この中心個所の該範囲迄の部分に、上手く掴めるように細工したり又所謂ヤモリテープ（ヤモリの足の裏）の様な滑らない品物を貼って、対応する。【選択図】図１
2017167494.tif 000002
【特許請求の範囲】
【請求項１】
（イ）ＣＤ，ＤＶＤ，ＢＤ等のデーター書き込み部分の支障をきたさない裏側の中心個所（直径１５ｍｍからｌｅａｄ  ｉｎ範囲４６ｍｍ）迄の部分をまわりの盤面よりも一段と高くするとかあるいは、データー書き込み部分の裏側（記憶領域片面１、２層の時）に、所謂ヤモリテープ（ヤモリの足の裏）、四葉プレート、ダイモテープ等を貼りつけることによって、パソコンにＣＤをセットする際に子供でも簡単又視覚障害者もセットと理解が簡単にされたＣＤ，ＤＶＤ，ＢＤである。
（ロ）ＣＤ，ＤＶＤ，ＢＤ等がパソコンのはめるところの回転部の小型部材（高さ等）とマッチングしてＣＤ，ＤＶＤ，ＢＤ等がパソコン本体の挿入等に支障をきたさず、接触せず起動できる厚み、高さとするようにされた子供でも簡単又視覚障害者もセットと理解が簡単にされたＣＤ，ＤＶＤ，ＢＤである。
（ハ）請求項（イ）（ロ）のＣＤ，ＤＶＤ，ＢＤ等で、裏側の中心個所（直径１５ｍｍからｌｅａｄ  ｉｎ範囲４６ｍｍ）迄の仕様部分については、範囲、大きさ、形状、厚さ、高さ、材質、種類、色彩等限定はしないとされた子供でも簡単又視覚障害者もセットと理解が簡単にされたＣＤ，ＤＶＤ，ＢＤである。
（ニ）ＣＤ，ＤＶＤ，ＢＤ等のデーター書き込み部分に支障をきたさない中心個所の範囲（直径１５ｍｍからｌｅａｄ  ｉｎ範囲４６ｍｍ）迄の部分又はデーター書き込み部分の裏側（記憶領域片面１、２層の時）に四葉プレート、ダイモテープ等視覚障害者が手で触って認識できる点字文字等を取り入れる事が出来るようにされた視覚障害者がセットと理解が簡単にされたＣＤ，ＤＶＤ，ＢＤである。
（ホ）視覚障害者がＣＤ，ＤＶＤ，ＢＤ等を認識する時にもちいる、四葉プレート、ダイモテープ等これらの種類、材質、重さ、大きさ、表現方法、深さ、形状、範囲、色彩、文字書体、文字数等については、限定しないとされた視覚障害者用ＣＤ，ＤＶＤ，ＢＤである。
（ヘ）手の小さな人等例えば、子供等がＣＤ，ＤＶＤ，ＢＤ等の円盤形の品物を特にデスクパソコンにセットする場合、上手くセット出来ない為の方策として、ＣＤ，ＤＶＤ，ＢＤ等のデーター書き込み部分に支障をきたさない中心個所の範囲（直径１５ｍｍからｌｅａｄ  ｉｎ範囲４６ｍｍ）迄の部分とデーター書き込み部分の裏側（記憶領域片面１、２層の時）の中心個所の範囲の部分に、爪等を立てて上手く掴めるようにする事が出来る様にされた子供でも簡単又視覚障害者もセットと理解が簡単にされたＣＤ，ＤＶＤ，ＢＤである。
（ト）溝等の細工を施し出来る様にするこの細工等については、仕様方法、大きさ、厚さ、位置、個所、色彩等については、限定しないとされた子供でも簡単又視覚障害者もセットと理解が簡単にされたＣＤ，ＤＶＤ，ＢＤである。
（チ）この中心個所の範囲（直径１５ｍｍ）からｌｅａｄ  ｉｎ範囲（４６ｍｍ）迄又はデーター書き込み部分の裏側（片面１、２層に所謂ヤモリテープ（ヤモリの足の裏）の様な滑らない品物を貼って、対応できるものとされた子供でも簡単又視覚障害者もセットと理解が簡単にされたＣＤ，ＤＶＤ，ＢＤである。
（リ）請求項（チ）のこの品物等について、範囲、大きさ、厚さ、個所数、位置、重さ、材質、色彩等仕様については、限定しないとされた子供でも簡単又視覚障害者もセットと理解が簡単にされたＣＤ，ＤＶＤ，ＢＤである。
（ヌ）ＣＤ，ＤＶＤ，ＢＤ等のデーター書き込み部分に、支障をきたさない中心個所の範囲（直径１５ｍｍからｌｅａｄ  ｉｎ範囲４６ｍｍ）迄の部分を盤面より高くしたり、又データー書き込み部分の裏側（記憶領域片面１、２層の時）に点字文字等を取り入れる為の仕様等については、既存の其々のＣＤ，ＤＶＤ，ＢＤ等にも上から貼り合わせたりして、仕様出来るようにされた子供でも簡単又視覚障害者もセットと理解が簡単にされたＣＤ，ＤＶＤ，ＢＤである。従って全ての従来の既存のＣＤ，ＤＶＤ，ＢＤ等にも対応出来るものとして、その仕様方法については、限定しないとされた子供でも簡単又視覚障害者もセットと理解が簡単にされたＣＤ，ＤＶＤ，ＢＤである。
（ル）データー書き込み部分の裏側、記憶領域両面４層の時に、請求項（ホ）為の仕様等については、ＣＤ，ＤＶＤ，ＢＤ等のデーター書き込み部分に、支障をきたさない中心個所の範囲（直径１５ｍｍからｌｅａｄ  ｉｎ範囲４６ｍｍ）迄の範囲に仕様する事とされた子供でも簡単又視覚障害者もセットと理解が簡単にされたＣＤ，ＤＶＤ，ＢＤである。
【発明の詳細な説明】
【技術分野】
【０００１】この発明は、パソコンにＣＤ，ＤＶＤ，ＢＤ等を差し込みして、いろいろとデーターのやり取りを行う際ＣＤ，ＤＶＤ，ＢＤ等をパソコンに差し込みしやすい様に子供でも又視覚障害者もセットと理解が簡単に仕様されたＣＤ，ＤＶＤ，ＢＤ等自体である。
【背景技術】
【０００２】従来のＣＤ，ＤＶＤ，ＢＤ等は、種類、用途、円盤の大きさ、色彩等色々数多くありましたが、手の小さな人等例えば、子供等がＣＤ，ＤＶＤ，ＢＤの円盤上の品物等を特にデスクパソコンにセットする場合上手く掴めず手から円盤形の品物が落下したりして、上手くセット出来ない事等。又視覚障害者が手で触って、ＣＤ，ＤＶＤ，ＢＤ等表裏の認識が即判別・認識できるＣＤ，ＤＶＤ，ＢＤ等又更に見出しで、ＣＤ，ＤＶＤ，ＢＤ等の中身の内容、説明等所謂点字文字等で記入されたＣＤ，ＤＶＤ，ＢＤ等はありませんでした。
【発明が解決しようとする課題】
【０００３】これは次のような欠点があった。
例えば、手の小さな供等がＣＤ，ＤＶＤ，ＢＤ等の円盤上の品物を特にデスクパソコンにセットする場合簡単に手に保持出来ない為に、上手くセット出来ない事で落下させてＣＤ，ＤＶＤ，ＢＤ等を傷つけたり。又視覚障害者がＣＤ，ＤＶＤ，ＢＤ等を簡単に手で触って表裏等認識しずらかったり、又購入前にＣＤ，ＤＶＤ，ＢＤ等の内容・詳細が明示された品物が今までは、無くこれらの人達にとっては、解決の方向性が必要とされた課題であった。
【課題を解決する為の手段】
【０００４】ＣＤ，ＤＶＤ，ＢＤ等のデーター書き込み部分に支障をきたさない中心個所の範囲（直径１５ｍｍからｌｅａｄ  ｉｎ範囲４６ｍｍ）迄中心個所の範囲の部分を廻りより一段と高くしてあり、この高くしてある事で視覚障害者がＣＤ，ＤＶＤ，ＢＤ等の表裏の認識が即判別、又データー書き込み部分の裏側（記憶領域片面１、２層の時）においては、全面あるいは部分的に、この個所に手で触って認識できる点字文字等を取り入れる事により、ＣＤ，ＤＶＤ，ＢＤ等の内容・詳細が明示されることが出来る。又手の小さな人等例えば、子供等がＣＤ，ＤＶＤ，ＢＤの円盤形の品物を特にデスクパソコンにセットする場合上手セットする為の方策として、この中心個所の範囲（直径１５ｍｍからｌｅａｄ  ｉｎ範囲４６ｍｍ）迄の部分に、上手く掴めるように細工したり又所謂ヤモリテープ（ヤモリの足の裏）の様な滑らない品物を貼って、対応できるものとする。
【発明の効果】
【０００５】ＣＤ，ＤＶＤ，ＢＤ等の円盤形の大きさに関係なく手の小さな人等例えば、子供等がＣＤ，ＤＶＤ，ＢＤの円盤形の品物等を簡単に特にデスクパソコンにセットする場合上手く掴めて、出来る様になった。又視覚障害者が手で触って表裏の認識が即判別又認識できる点字文字等記入されたＣＤ，ＤＶＤ，ＢＤ等が出来たことにより、容易にこれらの種類、内容等の事前情報等の把握ができるようになった。
【発明を実地する為の最良の形態】
【０００６】以下。本発明を実地する為の最良の形態について説明する。
ＣＤ，ＤＶＤ，ＢＤ等のデーター書き込み部分に支障をきたさない範囲の中で、中心個所の範囲（直径１５ｍｍからｌｅａｄ  ｉｎ範囲４６ｍｍ）の部分を盤面より、パソコンの挿入に支障をきたさない高さに高くする事。そして、この高い個所が有る為に視覚障害者がＣＤ，ＤＶＤ，ＢＤ等の表裏の認識が即判別出来、更にこの個所にＣＤ，ＤＶＤ，ＢＤ等の内容・詳細が明示された（認識できる）点字文字等を取り入れる事。又データー書き込み部分の裏側（記憶領域片面１、２層の時）に四葉プレート、ダイモテープ等視覚障害者が手で触って認識できる点字文字等を取り入れる事。さらに子供等がＣＤ，ＤＶＤ，ＢＤ等の円盤形の品物を特にデスクパソコンにセットする場合、上手にセットする為の方策を施す形状仕様とすること。
【図面の簡単な説明】
【０００７】
【図１】本発明の平面図と立面図、側面図である。
【図２】本発明のあいそめ図である。
【符号の説明】
【０００８】１    ＣＤ，ＤＶＤ，ＢＤ等
２    デスク（ノート）パソコン
３    ＣＤ，ＤＶＤ，ＢＤ等のパソコン挿入口
４    ＣＤ，ＤＶＤ，ＢＤ等の支障をきたさない部分と中心個所の盛り上がった範囲の部分（直径１５ｍｍからｌｅａｄ  ｉｎ範囲４６ｍｍ）
５    パソコン挿入口の回転部の小型部材
６    ＣＤ，ＤＶＤ，ＢＤ等の（点字文字記入部分）
７    ＣＤ，ＤＶＤ，ＢＤ等の（中心個所範囲の細工する部分）
８    Ｄ，ＤＶＤ，ＢＤ等の中心個所範囲（直径１５ｍｍからｌｅａｄ  ｉｎ範囲４６ｍｍ）
９    データー書き込み部分の裏側（記憶領域片面１、２層の時）に四葉プレート、ダイモテープ等の所謂ヤモリテープの様な滑らない品物を貼る個所）
１０  データー書き込み部分の裏側（記憶領域片面１、２層の時）
１１  Ｄ，ＤＶＤ，ＢＤ等の中心個所範囲（直径１５ｍｍからｌｅａｄ  ｉｎ範囲４６ｍｍ、記憶領域両面４層の時）
【図１】
2017167494.tif 000003
【図２】
2017167494.tif 000004